【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
無線電力を発生させ、かつ、送信するための装置であって、
アンテナ回路に同調信号を印加して、前記アンテナ回路を駆動するように構成されるコントローラであって、前記アンテナ回路が、回路基板上に位置するとともに、i)前記無線電力を送信して無線受信機を充電するための無線フィールドを発生させ、かつ、ii)共振周波数で共振するように構成される、コントローラと、
前記駆動されたアンテナ回路の前記共振周波数を示す信号を検出するように構成される検出器と、
前記アンテナ回路に結合される可変リアクタンス構成要素であって、前記コントローラは、前記共振周波数よりも小さい第1の周波数と、前記共振周波数よりも大きい第2の周波数との間の限定された範囲内に前記共振周波数を維持するために、前記検出された信号に基づいて前記可変リアクタンス構成要素のリアクタンスを設定することを介した第1の調整を提供するように構成され、前記コントローラは、前記アンテナ回路の前記共振周波数を前記限定された範囲内で調整することを介した第2の調整を提供するように構成され、前記第2の調整は前記第1の調整よりも細かい、可変リアクタンス構成要素と
を備える、装置。
【請求項２】
前記可変リアクタンス構成要素が第1の可変リアクタンス構成要素であり、前記装置が第2の可変リアクタンス構成要素をさらに備え、前記制御が前記第2の可変リアクタンス構成要素のリアクタンスを調整することを介した前記第2の調整を提供するようにさらに構成される、請求項1に記載の装置。
【請求項３】
前記第1の周波数および前記第2の周波数が、前記共振周波数を中心とする、請求項1に記載の装置。
【請求項４】
前記無線フィールドが近距離フィールド通信(NFC)信号を含み、前記回路基板がプリント回路基板(PCB)を備える、請求項1から3のいずれか一項に記載の装置。
【請求項５】
前記アンテナ回路がコイルを含む、請求項1から4のいずれか一項に記載の装置。
【請求項６】
前記コントローラが、ポータブル電子デバイス内の前記回路の統合に続く初期デバイス構成ルーチン中に、同調信号を印加するように構成される、請求項1から5のいずれか一項に記載の装置。
【請求項７】
初期較正設定値を記憶するように構成されるメモリをさらに備え、前記コントローラが、前記初期較正設定値に基づいて前記可変リアクタンス構成要素を調整するように構成される、請求項1から6のいずれか一項に記載の装置。
【請求項８】
前記アンテナ回路がコイルを含み、前記可変リアクタンス構成要素が、前記コイルと並列に結合される可変キャパシタを備える、請求項1から7のいずれか一項に記載の装置。
【請求項９】
無線デバイスを動作させるための方法であって、
アンテナ回路に同調信号を印加して、前記アンテナ回路を駆動するステップであって、前記アンテナ回路が、回路基板上に位置するとともに、無線電力を送信して無線受信機を充電するための無線フィールドを発生させ、かつ、共振周波数で共振するように構成される、ステップと、
前記アンテナ回路の前記共振周波数を示す信号を検出するステップと、
前記共振周波数よりも小さい第1の周波数と、前記共振周波数よりも大きい第2の周波数との間の限定された範囲内に前記共振周波数を維持するために、前記検出された信号に基づいて可変リアクタンス構成要素のリアクタンスを設定することを介した第1の調整を提供するステップと、
前記アンテナ回路の前記共振周波数を前記限定された範囲内で調整することを介した第2の調整を提供するステップであって、前記第2の調整は前記第1の調整よりも細かい、ステップと
を含む、方法。
【請求項１０】
前記第1の周波数および前記第2の周波数が、前記共振周波数を中心とする、請求項9に記載の方法。
【請求項１１】
前記無線フィールドが近距離フィールド通信(NFC)信号を含み、前記回路基板がプリント回路基板(PCB)を備える、請求項9または10に記載の方法。
【請求項１２】
無線デバイスを動作させるための方法であって、
無線電力を送信して無線受信機を充電するように構成されるアンテナ回路の共振周波数を示す信号を受信するステップと、
前記共振周波数よりも小さい第1の周波数と、前記共振周波数よりも大きい第2の周波数との間の限定された範囲内に前記共振周波数を維持するために、前記受信された信号に基づいて可変リアクタンス構成要素のリアクタンスを設定することを介した第1の調整を提供するステップと、
前記アンテナ回路の前記共振周波数を前記限定された範囲内で調整することを介した第2の調整を提供するステップであって、前記第2の調整は前記第1の調整よりも細かい、ステップと
を含む、方法。
【請求項１３】
無線電力を発生させ、かつ、送信するための装置であって、
アンテナ回路に同調信号を印加して、前記アンテナ回路を駆動するための手段であって、前記アンテナ回路が、回路基板上に位置するとともに、i)前記無線電力を送信して無線受信機を充電するための無線フィールドを発生させ、かつ、ii)共振周波数で共振するように構成される、手段と、
前記アンテナ回路の前記共振周波数を示す信号を検出するための手段と、
前記共振周波数よりも小さい第1の周波数と、前記共振周波数よりも大きい第2の周波数との間の限定された範囲内に前記共振周波数を維持するために、前記検出された信号に基づいてリアクタンス構成要素のリアクタンスを設定することを介した第1の調整を提供するための手段と、
前記アンテナ回路の前記共振周波数を前記限定された範囲内でさらに調整することを介した第2の調整を提供するための手段であって、前記第2の調整は前記第1の調整よりも細かい、手段と
を備える、装置。
【請求項１４】
無線電力を発生させ、かつ、送信するための装置であって、
前記無線電力を送信して無線受信機を充電するように構成されるアンテナ回路の共振周波数を示す信号を受信するように構成されるコントローラと、
アンテナ回路に結合される可変リアクタンス構成要素であって、前記コントローラは、前記共振周波数よりも小さい第1の周波数と、前記共振周波数よりも大きい第2の周波数との間の限定された範囲内に前記共振周波数を維持するために、前記受信された信号に基づいて前記可変リアクタンス構成要素のリアクタンスを設定することを介した第1の調整を提供するように構成され、前記コントローラは、前記アンテナ回路の前記共振周波数を前記限定された範囲内で調整することを介した第2の調整を提供するように構成され、前記第2の調整は前記第1の調整よりも細かい、可変リアクタンス構成要素と
を備える、装置。
【請求項１５】
無線電力を発生させ、かつ、送信するための装置であって、
無線電力を送信して無線受信機を充電するように構成されるアンテナ回路の共振周波数を示す信号を受信するための手段と、
前記共振周波数よりも小さい第1の周波数と、前記共振周波数よりも大きい第2の周波数との間の限定された範囲内に前記共振周波数を維持するために、前記受信された信号に基づいて可変リアクタンス構成要素のリアクタンスを設定することを介した第1の調整を提供するための手段と、
前記アンテナ回路の前記共振周波数を前記限定された範囲内で調整することを介した第2の調整を提供するための手段であって、前記第2の調整は前記第1の調整よりも細かい、手段と
を備える、装置。